(57)【要約】【課題】  寝具に対して効率良く着脱することができ、かつ、洗濯されたシールが可及的に平坦に伸ばした状態（凹凸や皺のない状態）でロール仕上げ機の二つのロール間に投入できてセンサーに反応しない寝具用シーツを提供する。【解決手段】  マットレスなどの寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、他方側被覆面の少なくとも角部を縮んだ状態において折り目が形成されない伸縮性を有する素材によって形成し、寝具に装着されていない状態において他方側被覆面の少なくとも角部を形成する伸縮性を有する素材が縮んだ状態となって一方側被覆面と他方側被覆面とが密着状態で平坦になるように構成する。【選択図】  図３
2008188418.tif 000002
【特許請求の範囲】
【請求項１】
寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、前記他方側被覆面の全部が縮んだ状態において折り目が形成されない伸縮性を有する素材によって形成されており、寝具に装着されていない状態において他方側被覆面を形成する伸縮性を有する素材が縮んだ状態となって一方側被覆面と他方側被覆面とが密着状態で平坦になることを特徴とする寝具用シーツ。
【請求項２】
寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、前記両被覆面が矩形状であり、他方側被覆面の角部が縮んだ状態において折り目が形成されない伸縮性を有する素材によって形成されており、寝具に装着されていない状態において他方側被覆面の角部を形成する伸縮性を有する素材が縮んだ状態となって一方側被覆面と他方側被覆面とが密着状態で平坦になることを特徴とする寝具用シーツ。
【請求項３】
伸縮性を有する素材が、他方側被覆面の角を挟む両辺から開口に向かって伸びており、かつ、当該角の二等分線を挟んで対称な形状に形成されている請求項２記載の寝具用シーツ。
【請求項４】
伸縮性を有する素材の二等分線に対して垂直方向の幅が開口に向かって広がっている請求項３記載の寝具用シーツ。
【請求項５】
寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、前記両被覆面が多角形状であり、前記他方側被覆面における少なくとも各角の二等分線を跨ぐように位置付けられた角部が縮んだ状態において折り目が形成されない伸縮性を有する素材によって形成されており、寝具に装着されていない状態において他方側被覆面を形成する伸縮性を有する素材が縮んだ状態となって一方側被覆面と他方側被覆面とが密着状態で平坦になることを特徴とする寝具用シーツ。
【請求項６】
両被覆面が矩形状であり、伸縮性を有する素材が、他方側被覆面の開口を挟んで対向するように対をなして形成されている請求項５記載の寝具用シーツ。
【発明の詳細な説明】
【技術分野】
【０００１】
本発明は、寝具用シーツに関するものである。
【背景技術】
【０００２】
周知の通り、病院においては、入院患者の多くが一日の大半をベッドで過ごすことから、ベッドのマットレスに装着されたシーツは、短期間で汚れてしまうため、比較的高い頻度で交換される。また、病院には、多数のベッドが設置されており、マットレスのシーツを交換するだけでも相当な作業量になる。
【０００３】
このため、従来からマットレスに対して効率良く着脱できるシーツの開発がなされており、例えば、後出特許文献１には、厚手板状体の一面及び側部外周を被覆し得るシーツにおいて、シーツ長縁のコーナー部に一端を止着したゴム紐をシーツ短縁のコーナー部に開口した折返縫合筒部に遊挿すると共に、該ゴム紐の他端をシーツ縁に止着しており、コーナー部のみが伸縮性三角布からなるものが開示されており、また、後出特許文献２には、マットレスに被せた状態において該マットレスの裏面に位置する部分の四隅に蛇腹状の伸縮性素材が縫着されたフィットシーツが開示されている。
【０００４】
ところで、前記交換作業によって大量に発生する使用済みシーツは、通常クリーニング業者によって回収されてクリーニングされており、当該クリーニング業者は、洗濯機によって洗濯された大量のシーツを効率良くプレスするためにロール仕上げ機を使用している。
【０００５】
前記ロール仕上げ機は、洗濯されたシーツを平坦に伸ばした状態で加熱された二つのロールの間に通してプレスするものであり、当該ロール仕上げ機にあっては、シーツが平坦に投入されて凹凸が生じているか否かがセンサーによって検知される。
【０００６】
このため、平坦に伸ばした際に、凹凸（折り目など）が殆ど生じないシーツでなければ、センサーが頻繁に反応して再起動等に時間を要し、作業効率が低下するという問題点が生じる。
【特許文献１】実開昭５６−１４８２６８
【特許文献２】実開平３−８７３
【発明の開示】
【発明が解決しようとする課題】
【０００７】
しかし、前記特許文献１に開示されたシーツは、マットレスに対して効率良く着脱することができるが、シーツを平坦に伸ばした際に、ゴム紐の厚みやコーナー部の折り畳みによってシーツに凹凸が生じ、当該凹凸がロール仕上げ機のセンサーによって検知される。
【０００８】
また、前記特許文献２に開示されたフィットシーツも、マットレスに対して効率良く着脱することができるが、シーツを平坦に折り畳んだ際に、マットレスに装着された状態において該マットレスの側面に位置付けられる部分が皺になると共に、蛇腹状の伸縮性素材が皺になり、これらの皺がロール仕上げ機のセンサーによって検知される。
【０００９】
そこで、本発明は、寝具に対して効率良く着脱することができ、かつ、洗濯されたシーツが可及的に平坦に伸ばした状態（凹凸や皺のない状態）でロール仕上げ機の二つのロール間に投入できてセンサーに反応しない寝具用シーツを提供することを技術的課題とし、その具現化をはかるべく、試作・実験を繰り返した結果、マットレスなどの寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、他方側被覆面における少なくとも角部を縮んだ状態において折り目が形成されない伸縮性を有する素材によって形成し、寝具に装着されていない状態において他方側被覆面における少なくとも角部を形成する伸縮性を有する素材が縮んだ状態となって一方側被覆面と他方側被覆面とが密着状態で平坦になるようにすれば、寝具に対して効率良く着脱することができ、かつ、ロール仕上げ機に通した際にセンサーによって頻繁に検知されることも解消できるという刮目すべき知見を得、前記技術的課題を達成したものである。
【課題を解決するための手段】
【００１０】
前記技術的課題は、次の通りの本発明によって解決できる。
【００１１】
即ち、本発明に係る寝具用シーツは、寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、前記他方側被覆面の全部が縮んだ状態において折り目が形成されない伸縮性を有する素材によって形成されており、寝具に装着されていない状態において他方側被覆面を形成する伸縮性を有する素材が縮んだ状態となって一方側被覆面と他方側被覆面とが密着状態で平坦になるものである。
【００１２】
また、本発明に係る寝具用シーツは、寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、前記両被覆面が矩形状であり、他方側被覆面の角部が縮んだ状態において折り目が形成されない伸縮性を有する素材によって形成されており、寝具に装着されていない状態において他方側被覆面の角部を形成する伸縮性を有する素材が縮んだ状態となって一方側被覆面と他方側被覆面とが密着状態で平坦になるものである。なお、当該発明の実施に当たっては、一方側被覆面と他方側被覆面の角部以外の部分とが一体の生地によって形成されており、当該生地の一方側被覆面を形成する矩形部の各辺から延びる延長部を折り返すことによって他方側被覆面の角部以外の部分が構成されており、当該各延長部の間に位置する他方側被覆面の角部に、縮んだ状態において折り目が形成されない伸縮性を有する素材が縮んだ状態で縫着されている態様を採用することができる。
【００１３】
また、本発明は、前記寝具用シーツにおいて、伸縮性を有する素材が他方側被覆面の角を挟む両辺から開口に向かって伸びており、かつ、当該角の二等分線を挟んで対称な形状に形成されているものである。
【００１４】
また、本発明は、前記寝具用シーツにおいて、伸縮性を有する素材の二等分線に対して垂直方向の幅が開口に向かって広がっているものである。
【００１５】
また、本発明に係る寝具用シーツは、寝具に装着された状態において該寝具の使用者側に向けられる表面を覆う一方側被覆面と該寝具の側面から使用者側に向けられる表面の反対側に位置する裏面へ回り込む他方側被覆面とからなり、当該他方側被覆面に寝具を出し入れするための開口が形成されている寝具用シーツにおいて、前記両被覆面が多角形状であり、前記他方側被覆面における少なくとも各角の二等分線を跨ぐように位置付けられた角部が縮んだ状態において折り目が形成されない伸縮性を有する素材によって形成されており、寝具に装着されていない状態において他方側被覆面を形成する伸縮性を有する素材が縮んだ状態となって一方側被覆面と他方側被覆面とが密着状態で平坦になるものである。
【００１６】
また、本発明は、前記寝具用シーツにおいて、両被覆面が矩形状であり、伸縮性を有する素材が、他方側被覆面の開口を挟んで対向するように対をなして形成されているものである。
【発明の効果】
【００１７】
本発明によれば、他方側被覆面における少なくとも角部を縮んだ状態において折り目が形成されない伸縮性を有する素材によって形成し、寝具に装着されていない状態において他方側被覆面の少なくとも角部を形成する伸縮性を有する素材が縮んだ状態となって一方側被覆面と他方側被覆面とが密着状態で平坦になるように構成したので、寝具に対して容易に着脱することができ、かつ、寝具に装着されていない状態において凹凸が形成されず、洗濯後のロール仕上げ機によるプレス作業時にセンサーが頻繁に反応して作業効率が低下されることはない。
【００１８】
従って、本発明の産業上利用性は非常に高いといえる。
【発明を実施するための最良の形態】
【００１９】
以下、本発明の実施の形態を図面に基づき説明する。
【００２０】
実施の形態１．
【００２１】
図１はマットレスに装着された本実施の形態に係る寝具用シーツを一方側被覆面から目視した状態を示した斜視図である。図２はマットレスに装着された本実施の形態に係る寝具用シーツを他方側被覆面から目視した状態を示した斜視図である。図３はマットレスに装着されていない本実施の形態に係る寝具用シーツを他方側被覆面から目視した状態を示した平面図である。なお、図１〜３において、ハッチング部分は伸縮性を有する素材からなる部分を示している。図４は図３に示す寝具用シーツの一方側被覆面及び他方側被覆面の一部を形成する生地を展開した状態を示した平面図である。これらの図において、１は、図１及び図２に示すように、ベッドのマットレス２（寝具）に装着された状態において、マットレス２の使用者側に向けられる表面を覆う矩形状の一方側被覆面３と、マットレス２の側面から使用者側に向けられる表面の反対側に位置する裏面へ回り込む矩形状の他方側被覆面４とからなる寝具用シーツである。
【００２２】
一方側被覆面３は、マットレス２に装着された際に、使用者と接触する部分であるため、伸縮性を有しない素材又は伸縮性が比較的小さな素材であって、肌触りや吸水性などの機能性に優れた素材によって形成される。具体的には、綿などの天然繊維、ポリエステルなどの合成繊維又は両繊維の混合繊維などからなる生地が使用される。
【００２３】
他方側被覆面４は、図３に示すように、角部５が伸縮性を有する素材によって形成されており、角部５以外の辺部６が伸縮性を有しない素材又は伸縮性が比較的小さな素材によって形成されている。そして、他方側被覆面４の中央には、寝具を出し入れするための開口７が形成されている。
【００２４】
他方側被覆面４の角部５を形成する伸縮性を有する素材は、他方側被覆面５の角８を挟む両辺９から開口７へ向かって該角８の二等分線１０（図３中、点線にて示す）に沿って延びており、当該二等分線１０を挟んで対称な形状に形成されている。なお、当該伸縮性を有する素材の二等分線１０に対して垂直方向の幅は角８を挟む両辺９から開口７まで同一幅となっている。また、他方側被覆面４の角部５以外の辺部６は、一方側被覆面３を形成する生地の一部によって形成されており、図４に示すように、当該生地１１は、一方側被覆面３となる矩形部１２と、矩形部１２の各辺から該各辺の両端部を残して延びる延長部１３とからなり、延長部１３を矩形部１２の各辺を折り目として折り返すことによって他方側被覆面４の角部５以外の辺部６が形成される。なお、延長部１３は、マットレス２の側面の高さよりも長くなっている。
【００２５】
他方側被覆面４の角部５を形成する伸縮性を有する素材としては、縮んだ状態において折り目が形成されないものであればよく、全方向に対して伸縮可能な素材を用いる。具体的には、ポリウレタン系弾性繊維、ポリオレフィン系弾性繊維などからなる合成弾性繊維や天然又は合成のゴムからなる伸縮性を有する糸と、ポリエステル系繊維、ポリアミド系繊維などからなる合成繊維や綿などの天然繊維からなる伸縮性を有しない糸とを混合して編んで形成される生地が使用される。また、プレス時の熱加工に強いポリエステル系繊維などからなる糸によって形成された生地も素材として使用される。なお、伸縮性を有する素材としては、伸長していない状態から1.5〜4倍の伸びるものが好ましく、より好ましくは2〜2.5倍に伸びるものが好ましい。
【００２６】
本実施の形態に係る寝具用シーツ１をベッドのマットレス２に装着すると、図１及び図２に示すように、寝具用シーツ１の一方側被覆面３がマットレス２の使用者側に向けられる表面に位置付けられると共に、他方側被覆面４がマットレス２の側面から裏面へ回り込むように位置付けられる。この時、マットレス２の側面及び裏面から構成されるマットレス角部１４に位置付けられた他方側被覆面４の角部５は、伸縮性を有する素材が伸びることによって表面に折り目（皺）を形成することなく、マットレス角部１４に密着した状態となる。
【００２７】
本実施の形態に係る寝具用シーツによれば、他方側被覆面の角部を形成する伸縮性を有する素材の形状を、他方側被覆面の角を挟む両辺からなる角の二等分線を挟んで対称な形状としたので、マットレスに装着した際に、マットレス角部を挟んで両側に位置する側面に対して均等な大きさの伸縮性を有する素材が密着し、このため、当該伸縮性を有する素材に対して無理な伸縮が生じない。
【００２８】
なお、他方側被覆面の角部を形成する伸縮性を有する素材の開口を構成する辺を僅かに折り返して二重にすることによって開口縁部の伸縮強度を向上させることができる。
【００２９】
実施の形態２．
【００３０】
本実施の形態は前記実施の形態に係る寝具用シーツの他方側被覆面の変形例である。図５は寝具に装着されていない変形例１に係る寝具用シーツを他方側被覆面側から目視した平面図である。図６は寝具に装着されていない変形例２に係る寝具用シーツを他方側被覆面側から目視した平面図である。図５及び図６において、ハッチング部分は伸縮性を有する素材からなる部分を示しており、図１〜図４と同一符号は同一又は相当部分を示している。
【００３１】
変形例１：本変形例に係る寝具用シーツは、図５に示すように、他方側被覆面４の角部５を形成する伸縮性を有する素材の二等分線１０に対して垂直方向の幅が角８を挟む両辺９から開口７へ向かうに従って除々に広がっている。
【００３２】
本変形例によれば、開口を形成する伸縮性を有する素材を長くすることができるため、開口を大きく伸ばすことができ、寝具に対して更に取り付け易くなる。
【００３３】
変形例２：本変形例に係る寝具用シーツは、図６に示すように、他方側被覆面４の全部が伸縮性を有する素材によって形成されている。
【００３４】
なお、本発明は、ベッドのマットレスだけでなく、敷き布団や掛け布団などの寝具に対しても使用することができる。
【００３５】
実施の形態３．
【００３６】
本実施の形態は前記実施の形態１の寝具用シーツの変形例である。図７は寝具に装着されていない本実施の形態に係る寝具用シーツを他方側被覆面側から目視した平面図であり、図において伸縮性を有する素材によって構成される辺部と角部の境界を一点鎖線にて示している。図８は寝具に装着された本実施の形態に係る寝具用シーツを他方側被覆面側から目視した斜視図である。図９は図７に示す寝具用シーツの一方側被覆面及び他方側被覆面の一部を形成する生地を展開した状態を示した平面図である。図７〜図９において、ハッチング部分は伸縮性を有する素材からなる部分を示している。これらの図において、図１〜図４と同一符号は同一又は相当部分を示している。
【００３７】
本実施の形態に係る寝具用シーツ１の他方側被覆面４は、図７に示すように、他方側被覆面４に形成された開口７を挟むように上下に位置付けられた一対の辺部１５と、該各辺部１５に隣接する角部１６とからなる部分が一方側被覆面３を形成する素材よりも大きい伸縮性を有する素材によって形成されている。また、他方側被覆面４に形成された開口７を挟むように左右に位置付けられた一対の辺部１７が一方側被覆面３と同様の素材によって形成されている。
【００３８】
他方側被覆面４の開口７を挟むように上下に位置付けられた辺部１５及び該辺部１５に隣接する角部１６を形成する伸縮性を有する素材は、他方側被覆面４の角部１６において少なくとも他方側被覆面４の角８の二等分線９を跨いでおり、他方側被覆面４の開口７を挟むように上下に位置付けられた辺部１５から該辺部１５に隣接する角部１６へと一体的に連なるように形成されている。従って、伸縮性を有する素材は、他方側被覆面４の開口７を挟んで対向するように対をなして形成されている。また、他方側被覆面４の開口７を挟むように左右に位置付けられた辺部１７は、一方側被覆面３を形成する生地１１の一部によって形成されており、図９に示すように、当該生地１１は、一方側被覆面３となる矩形部１２と、矩形部１２の左右辺から該左右辺の両端部を残して延びる延長部１３とからなり、延長部１３を矩形部１２の左右辺を折り目として折り返すことによって他方側被覆面４の左右に位置付けられた辺部１７が形成される。なお、他方側被覆面４の各辺部１５，１７の幅は寝具の高さよりも幅広になっている。
【００３９】
なお、他方側被覆面４の開口７を挟んで左右に位置付けられる辺部１７は、一方側被覆面３を形成する生地１１の一部によって形成する必要はなく、一方側被覆面３を形成する生地１１に対して辺部１７となる生地を縫い付けて形成してもよい。
【００４０】
また、本実施の形態においては、他方側被覆面４の開口７を挟んで上下に位置付けられる辺部１５及び該辺部１５に隣接する角部１６を構成する矩形状の伸縮性を有する素材と、他方側被覆面４の開口７を挟んで左右に位置付けられる辺部１７を構成する前記伸縮性を有する素材よりも伸縮性が小さい矩形状の素材とを繋ぎ合わせて形成されており、両素材の繋ぎ目１８が矩形状の寝具用シーツ１の上下方向（又は左右方向のいずれか一方向）の辺と平行に並ぶように形成されている。
【００４１】
本実施の形態に係る寝具用シーツ１を寝具２に装着すると、図８に示すように、寝具用シーツ１の他方側被覆面４を構成する伸縮性を有する素材が伸びて寝具における上下端部の側面及び底面に密着した状態で覆い被さる。
【００４２】
本実施の形態に係る寝具用シーツ１によれば、他方側被覆面４の開口７を挟んで左右（即ち、寝具用シーツを寝具に装着した際に使用者の左右に位置付けられる部分）に位置付けられた辺部１７を伸縮性の小さい又は伸縮性のない素材によって形成しているので、使用者の寝返りによる左右方向の動きに対して他方側被覆面４が伸縮せずに寝具２に対する寝具用シーツ１のズレが抑制される。一方、他方側被覆面４の開口７を挟んで上下（即ち、寝具用シーツを寝具に装着した際に使用者の上下に位置付けられる部分）に位置付けられた辺部１５から該辺部１５に隣接する角部１６までを伸縮性を有する素材によって形成しているので、他方側被覆面４の開口７を大きく伸縮することができて寝具２に対する寝具用シーツ１の着脱が容易となる。
【００４３】
なお、本発明における「縮んだ状態において折り目が形成されない伸縮性を有する素材」には、縮んだ状態において折り目が全く形成されないものだけではなく、縮んだ状態において伸縮の繰り返しや縫合のズレ等による生地の弛みに起因する僅かな凹凸（ロール仕上げ機のセンサーに検知されない程度の折り目など）が形成されるものも含まれる。
【００４４】
実施例．
【００４５】
幅91cm×奥行き191cm×高さ8.5cmのマットレスに使用する寝具用シーツを作成した。寝具用シーツにおける一方側被覆部を形成する矩形部と他方側被覆部の角部以外の部分を形成する延長部と構成する伸縮性を有しない素材として綿からなる生地を用意した。先ず、当該生地を、矩形部が縦20cm×横30cmとなり、延長部の幅がマットレスの高さ8.5cmの130％の長さである11cmとなるように裁断した。また、寝具用シーツにおける他方側被覆部の角部を形成する伸縮性を有する素材としてポリウレタン弾性繊維糸とポリウレタンフィラメント糸とを交編したトリコット生地を用意した。なお、当該トリコット生地は、全方向に対して150％の伸縮率を有しており、伸長した状態から90％以上の回復率を有している。
【００４６】
次に、綿からなる生地を矩形部の各辺を折り目として延長部を折り返した後、各延長部間に形成される空隙部分の形状に合わせて裁断したトリコット生地を該空隙部分に位置付けて逢着して他方側被覆部を形成した。そして、他方側被覆部の中央部に形成される開口縁を内側に折り込んで逢着することによって寝具用シーツを得た。
【００４７】
得られた寝具用シーツをマットレスに装着したところ、他方側被覆面の角部を形成するトリコット生地が伸長して効率良く装着できた。また、マットレスに装着した寝具用シーツを取り外したところ、伸長していた角部のトリコット生地が伸長前の状態と殆ど同じ状態に縮み、これにより、両被覆面は折り目が付くことなく密着状態で平坦となった。
【００４８】
そして、ここに得られた寝具用シーツを洗濯した後、ロール仕上げ機に通したところ、センサーに反応することなく、綺麗にプレスできた。
【図面の簡単な説明】
【００４９】
【図１】マットレスに装着された実施の形態１に係る寝具用シーツを一方側被覆面から目視した状態を示した斜視図である。
【図２】マットレスに装着された実施の形態１に係る寝具用シーツを他方側被覆面から目視した状態を示した斜視図である。
【図３】マットレスに装着されていない実施の形態１に係る寝具用シーツを他方側被覆面から目視した状態を示した平面図である。
【図４】図３に示す寝具用シーツの一方側被覆面及び他方側被覆面の一部を形成する生地を展開した状態を示した平面図である。
【図５】寝具に装着されていない変形例１に係る寝具用シーツを他方側被覆面から目視した平面図である。
【図６】寝具に装着されていない変形例２に係る寝具用シーツを他方側被覆面から目視した平面図である。
【図７】寝具に装着されていない実施の形態３に係る寝具用シーツを他方側被覆面側から目視した平面図である。
【図８】寝具に装着された実施の形態３に係る寝具用シーツを他方側被覆面側から目視した斜視図である。
【図９】図７に示す寝具用シーツの一方側被覆面及び他方側被覆面の一部を形成する生地を展開した状態を示した平面図である。
【符号の説明】
【００５０】
１  寝具用シーツ
２  マットレス（寝具）
３  一方側被覆面
４  他方側被覆面
５，１５  角部
６，１５，１７  辺部
７  開口
８  角
９  辺
１０  二等分線
１１  生地
１２  矩形部
１３  延長部
１４  マットレス角部
１８  繋ぎ目
【図１】
2008188418.tif 000003
【図２】
2008188418.tif 000004
【図３】
2008188418.tif 000005
【図４】
2008188418.tif 000006
【図５】
2008188418.tif 000007
【図６】
2008188418.tif 000008
【図７】
2008188418.tif 000009
【図８】
2008188418.tif 000010
【図９】
2008188418.tif 000011